(57)【要約】  【課題】  不特定多数の使用者の全てが満足にトイレットペーパーを繰り出せるようにする。  【解決手段】  軸支したトイレットペーパーの繰り出し方向を、通常の姿勢で便器に座った使用者の方向に対面させる取付け治具を介して側壁に取付る。  【選択図】  図１
2007195725.tif 000002
【特許請求の範囲】
【請求項１】
便器の前後方向と直行する左右のいずれかの側壁に取り付けられるトイレットペーパーホルダーであって、トイレットペーパーホルダーは、軸支したトイレットペーパーの繰り出し方向を、通常の姿勢で便器に座った使用者の方向に対面させる取付け治具を介して側壁に取付るようにされていることを特徴とするトイレットペーパーホルダー。
【請求項２】
トイレットペーパーの繰り出し方向が、通常の姿勢で便器に座った使用者の方向に対し４０°〜５０°の傾斜角であることを特徴とする請求項１に記載のトイレットペーパーホルダー。
【請求項３】
トイレットペーパーの繰り出し方向を、通常の姿勢で便器に座った使用者に対して対面する方向に固定する形態であることを特徴とする請求項１又は請求項２に記載のトイレットペーパーホルダー。
【請求項４】
トイレットペーパーの繰り出し方向を、トイレットペーパーの繰り出し時にのみ、通常の姿勢で便器に座った使用者に対して対面させ、不使用時には当該使用者と直交する方向に切り換える形態であることを特徴とする請求項１又は請求項２に記載のトイレットペパーホルダー。
【請求項５】
切り換えられたトイレットペーパーの繰り出し方向を保持する保持手段を備えている事を特徴とする請求項４に記載のトイレットペーパーホルダー。
【発明の詳細な説明】
【技術分野】
【０００１】
本発明は、トイレットペーパーホルダーに関し、詳しくは、使用者がトイレットペーパーを繰り出し操作するのに好適なトイレットパーパーホルダーに関する。
【背景技術】
【０００２】
従来、トイレ室内におけるトイレットペーパーホルダーの取付け位置は、その限られたトイレ室内のスペースから、便器の前後方向から見てトイレ室の左右側壁が最も多い。
すなわち、トイレットパーパーホルダーは、通常の姿勢で便器に座った使用者の方向と直交する方向にトイレットペーパーを繰り出す方向として取り付けられている。
【発明の開示】
【発明が解決しようとする課題】
【０００３】
ところで、トイレットペーパーホルダーからトイレットペーパーを繰り出す場合、トイレットペーパーの巻取り方向に沿って繰り出すことによって、トイレットペーパーが途中で破けたり捻じ曲がったりせずに、正常に繰り出すことができる。
しかしながら、トイレットペーパーホルダーが前記の取付け位置である場合、通常の姿勢で便器に座った使用者がトイレットペーパーを繰り出そうとすると、どうしても、トイレットペーパーの繰り出し方向と交差する方向から繰り出すことになるため、トイレットペーパーの繰り出しが行い難いものであった。
又、トイレットペーパーを繰り出し易くするため、使用者が体を伸ばしたり、ひねったり、更には腕をひねったりしながら、可能な限りトイレットペーパーの巻取り方向に沿って繰り出そうとするが、使用者とトイレットペーパーホルダーまでの距離や使用者の体格等の差によって、不特定多数の使用者の全てが満足にトイレットペーパーを繰り出すことができないものであった。
そこで、本願出願人は、不特定多数の使用者の全てが満足にトイレットペーパーを繰り出せるようにするという観点から、鋭意研究の結果、本願発明に至ったものである。
尚、本願発明に関連する先行技術文献情報に関しては、本願出願人が知り得る範囲において存在しない。
【０００４】
本発明は、不特定多数の使用者の全てが満足にトイレットペーパーを繰り出せるようにすることを課題とし、この課題を解決するトイレットペーパーホルダーの提供を目的とする。
【課題を解決するための手段】
【０００５】
前記目的を達成するため、本発明が採用した第１発明は、便器の前後方向と直行する左右のいずれかの側壁に取り付けられるトイレットペーパーホルダーであって、トイレットペーパーホルダーは、軸支したトイレットペーパーの繰り出し方向を、通常の姿勢で便器に座った使用者の方向に対面させる取付け治具を介して側壁に取付るようにされていることを特徴とするトイレットペーパーホルダーにした。
【０００６】
本発明で云うトイレットペーパーの繰り出し方向を、通常の姿勢で便器に座った使用者の方向に対面させるその方向とは、トイレットペーパーの繰り出し方向が、通常の姿勢で便器に座った使用者の方向に対して傾斜状に対面する方向から正対状に対面する方向までの範囲である。
前記トイレットペーパーの繰り出し方向が、通常の姿勢で便器に座った使用者の方向に対して傾斜状に対面する方向である場合、そのトイレットペーパーの繰り出し動作に好ましい角度の範囲としては、第２発明のように、トイレットペーパーの繰り出し方向が、通常の姿勢で便器に座った使用者の方向に対し４０°〜５０°の傾斜角である。
【０００７】
本発明のトイレットペーパーホルダーを側壁に取付ける取付け治具は、第３発明のようにトイレットペーパーの繰り出し方向を、通常の姿勢で便器に座った使用者に対して対面する方向に固定する形態、又、第４発明のようにトイレットペーパーの繰り出し方向を、トイレットペーパーの繰り出し時にのみ、通常の姿勢で便器に座った使用者に対して対面させ、不使用時には当該使用者と直交する方向に切り換える形態のいずれでも良い。
更に、第４発明の場合、トイレットペーパーの繰り出しをより確実に行うと云う観点から、第５発明のように、切り換えられたトイレットペーパーの繰り出し方向を保持する保持手段を備えることが好ましい。
【発明の効果】
【０００８】
本発明によれば、下記の優れた効果が期待できる。
第１発明によれば、トイレットペーパーホルダーが、トイレットペーパーの繰り出し方向を通常の姿勢で便器に座った使用者の方向に対面するように側壁に取付けられているので、不特定多数の使用者の全てが満足にトイレットペーパーを繰り出せるトイレットペーパーホルダーを提供できる。
【０００９】
又、第２発明によれば、トイレットペーパーホルダーを側壁に対する取付け角度を、トイレットペーパーの繰り出しが行い易い最適な角度とすることができる。
又、第３発明及び第４発明によれば、トイレットペーパーホルダーの具体的な取付け形態を提供することができ、特に、第４発明によれば、トイレットペーパーの使用時にのみその繰り出し方向を使用者に対面させるので、トイレ室への出入りや便器へ座ったり、立ったりする際に、トイレットペーパーホルダーが邪魔になるようなことが無い。
そして、第５発明によれば、トイレットペーパーの繰り出し方向を保持することにより、トイレットペーパーの繰り出し時やトイレットペーパーの不使用時においてトイレットペーパーホルダーが動いてしまうことが無いので、トイレットペーパーの繰り出しをより確実に行えるとともに、トイレットペーパーホルダーの不使用時の状態を確実に保持することができる。
【発明を実施するための最良の形態】
【００１０】
以下、本発明のトイレットペーパーホルダーを実施するための最良の形態を図面に基づいて説明する。
図１〜図４は、本発明の第１の形態を示し、図５及び図６は、本発明の第２の形態を示す。
【００１１】
第１の形態及び第２の形態のトイレットペーパーホルダー１，１'は、ホルダー本体２と、当該ホルダー本体２をトイレ室Ａの側壁Ａ１に取付ける取付け治具３とから構成されている。
ホルダー本体２は、トイレットペーパーＢを軸支する支軸２１を備えた支持板２２に、カッター２３が上下回動可能に軸支された周知の構成のものである。
【００１２】
第１の形態の取付け治具３は、ホルダー本体２に固定する金属製のホルダー本体固定板３１と、当該固定板３１の前後端縁に夫々左右に折り畳み可能に軸支された金属製の固定板３２，３３と、前記ホルダー本体固定板３１に対して固定板３２，３３の折り畳み状態を保持する保持手段３４とで構成されている。
【００１３】
ホルダー本体固定板３１には、折り畳まれた固定板３２，３３の折り畳み状態を保持する保持手段３４の一例であるマグネットが取付けられている。
本形態では、固定板３２を右側の側壁Ａ１に取付けることによって、ホルダー本体固定板３１が固定板３２に対して平面視時計回り及び反時計回りに回動して、固定板３２と平行状に折り畳まれるとともに、観音開き状に開くようにされている。
ホルダー本体固定板３１には、前記ホルダー本体２がビス等により固定される。
【００１４】
尚、前記保持手段３４は、例示したマグネットに限定するものではなく、例えば、凹凸嵌合による構造、面ファスナ等が挙げられる。、
【００１５】
すなわち、右側の側壁Ａ１に対して取付けられた固定板３２に対して平面視反時計回りに回動させると、ホルダー本体固定板３１が保持手段３４から離間するとともに、トイレットペーパーＢの繰り出し方向が便器Ｃに通常の姿勢で座った使用者に対して対面する（トイレットペーパー使用時）。
逆に、平面視時計回りに回動させると、ホルダー本体固定板３１が保持手段３４に吸着されるとともに、固定板３２と平行状に折り畳まれて、トイレットペーパーＢの繰り出し方向が便器Ｃに通常の姿勢で座った使用者と直交方向となる（トイレットペーパー不使用時）。
尚、ここで右側の側壁Ａ１とは、便器Ｃに通常の姿勢で座った使用者の右手側であり、左手側を側壁Ａ２と云う。
【００１６】
符号３５は、前記トイレットペーパー使用時におけるホルダー本体２の回動を規制し、その規制位置を保持する保持手段である。
この保持手段３５は、ホルダー本体２の前後端面に取付けられたストッパーであり、ホルダー本体２がトイレットペーパー使用方向に回動したときに右側の側壁Ａ１に当接することによって、ホルダー本体２のそれ以上の回動を阻止するものである。
又、この保持手段３５は、ホルダー本体２の回動を阻止した状態においてトイレットペーパーＢの繰り出し方向を、通常の姿勢で便器に座った使用者の方向に対し４５°の傾斜角で対面させるように取付けられている。
【００１７】
尚、前記保持手段３５は、例示したホルダー本体２に取付けたストッパーに限定するものではなく、例えば、ホルダー本体固定板３１と固定板３２，３３の軸支構造において回動範囲を規制するものでも良い（図示せず）。
【００１８】
本形態の保持手段３５によれば、当該保持手段３５がホルダー本体２の回動を阻止した状態では、トイレットペーパーＢの繰り出し方向が使用者と対面している。
そして、この対面状態におけるトイレットペーパーＢの繰り出時にかかる力の方向がホルダー本体２を反時計回りに回動させる方向であるため、トイレットペーパーＢの繰り出し時においては、ホルダー本体２が反時計回りに回動しないように保持される。
したがって、前記保持手段３５は、トイレットペーパーＢの繰り出し方向を、通常の姿勢で便器に座った使用者の方向に対し４５°の傾斜角で対面させ、この対面角度を保持した状態で、トイレットペーパーＢの繰り出しをさせることができる。
【００１９】
本形態では、トイレットペーパーホルダー１を右側の側壁Ａ１に取り付ける形態として例示したが、ホルダー本体２をホルダー本体固定板３３に付け替えることによって、左側の側壁Ａ２に取付ける形態のトイレットペーパーホルダーにすることができる（図示せず）。
この場合、ホルダー本体のトイレットペーパー使用時と不使用時の回動方向は、右側の側壁Ａ１に取付けるタイプのトイレットペーパーホルダー１とは逆方向であり、時計回りの回動でトイレットペーパー繰り出し方向が使用者と対面（トイレットペーパー使用時）し、反時計回りの回動でトイレットペーパー繰り出し方向が使用者と直交（トイレットペーパー不使用時）する。
【００２０】
以下、本発明のトイレットペーパーホルダーの第２の形態を説明する。
本形態のトイレットペーパーホルダー１'は、ホルダー本体２の構成が前記第１の形態のホルダー本体２と同構成であるので、同符号を付すことによりその説明は省略する。
又、本形態のトイレットペーパーホルダー１'は、前記トイレットペーパーホルダー１におけるホルダー本体２を側壁Ａ１に取付ける取付け治具３に代えて、他の構成とする取付け治具４を備えたものである。
【００２１】
本形態の取付け治具４は、側壁Ａ１に取付ける固定板４１と、固定板４１の後端縁に平面視時計回り及び反時計回りに回動可能に軸支されたホルダー本体固定板４２と、当該ホルダー本体固定板４２の固定板１側軸支端縁と逆端縁に平面視時計回り及び反時計回りに回動可能に軸支された支持板４３とから構成されている。
又、前記固定板４１の前端縁と、支持板４３のホルダー本体固定板４２側の軸支端縁と逆端縁とには、保持手段３４の一例である凹凸嵌合部が形成されている。
そして、前記固定板４１とホルダー本体固定板４２と支持板４３とは、固定板４１と支持板４３をその保持手段３４の嵌合を解除して分離することにより、側壁Ａ１に対して互いに略平行状に重なるように折り畳まれ、固定板４１と支持板４３をその保持手段３４を嵌合させて合体させることによって、ホルダー本体固定板４２を底辺とし、頂点を直角とする平面視直角２等辺三角形として構成される（図６（ａ）参照）。
又、これら固定板４１及びホルダー本体固定板４２、並びに支持板４３は、図６（ｂ）に示すように、互いに嵌合可能な略コ型に形成され、折り畳み時において互いに嵌合することにより、前記した側壁に対して略平行状になる。
すなわち、トイレットペーパー使用時において、保持手段３４を嵌合させることによって、取付け治具４が平面視２等辺三角形に構成され、ホルダー本体固定板４２が通常の姿勢で便器に座った使用者の方向に対し４５°の傾斜角で対面する状態が保持される。
又、トイレットペーパー不使用時には、保持手段３４の嵌合を解除して、取付け治具を折り畳むことによって、ホルダー本体固定板４２が通常の姿勢で便器に座った使用者の方向に対し直交方向となる状態が保持される。
【００２２】
本形態の取付け治具４によれば、トイレットペーパーＢの繰り出し方向を、通常の姿勢で便器に座った使用者の方向に対し４５°の傾斜角で対面させ、この対面角度を保持した状態で、トイレットペーパーＢの繰り出しをさせることができる。
【００２３】
本形態では、トイレットペーパーの繰り出し方向を切り換え可能なトイレットペーパーホルダーを例示したが、本発明では、通常の姿勢で便器に座った使用者の方向に対し４５°の傾斜角で対面する状態を固定するものとしても良い。
又、本形態では、トイレットペーパーホルダー１を右側の側壁Ａ１に取り付ける形態として例示したが、取付け治具４をホルダー本体２に対して上下逆転させることによって左側の側壁Ａ２に取付ける形態のトイレットペーパーホルダーにすることができる（図示せず）。
【００２４】
尚、本発明は、例示した実施の形態に限定するものでは無く、特許請求の範囲の各項に記載された内容から逸脱しない範囲の構成による実施が可能である。
例えば、トイレットペーパーの繰り出し方向を、通常の姿勢で便器に座った使用者の方向に対し４５°の傾斜角で対面する方向に限定するものでは無く、好ましい角度として４０°〜５０°の範囲であれば良いし、通常の姿勢で便器に座った使用者の方向と正対する方向でも良い。
【図面の簡単な説明】
【００２５】
【図１】本発明に係る第１の形態のトイレットペーパーホルダーの使用の一例を示す平面図。
【図２】本発明に係る第１の形態のトイレットペーパーホルダーの拡大平面図でトイレットペーパー使用時を示す。
【図３】本発明に係る第１の形態のトイレットペーパーホルダーの拡大平面図でトイレットペーパー不使用時を示す。
【図４】図３の側面図。
【図５】本発明に係る第２の形態のトイレットペーパーホルダーの平面図でトイレットペーパー使用時を示す。
【図６】（ａ）は本発明に係る第１の形態のトイレットペーパーホルダーの拡大平面図、（ｂ）は（ａ）の（ｂ）-（ｂ）線端面図で夫々トイレットペーパー不使用時を示す。
【符号の説明】
【００２６】
１：トイレットペーパーホルダー
１'：トイレットペーパーホルダー
２：ホルダー本体
３：取付け治具
３１：ホルダー本体固定板
３２：固定板
３３：固定板
３４：保持手段
Ｂ：トイレットペーパー
Ｃ：便器
Ａ１：側壁
Ａ２：側壁
３５：保持手段
４：取付け治具
４１：固定板
４２：ホルダー本体固定板
４３：支持板
【図１】
2007195725.tif 000003
【図２】
2007195725.tif 000004
【図３】
2007195725.tif 000005
【図４】
2007195725.tif 000006
【図５】
2007195725.tif 000007
【図６】
2007195725.tif 000008